(57)【要約】【課題】モータの駆動音ならびにモータのプーリとベルトが発生する駆動音を遮音するとともに、駆動手段の発熱を抑制する。【解決手段】駆動手段３５の回転を洗濯兼脱水槽３４に伝達する伝達手段４５は、駆動手段３５に設けた第１のプーリ４２と、洗濯兼脱水槽３４に設けた第２のプーリ４３と、第１のプーリ４２と第２のプーリ４３を回転自在に連結する伝達ベルト４４を有し、駆動手段４５と第１のプーリ４２を遮音手段４６で覆うとともに、駆動手段３５の温度上昇を抑制する冷却手段４７を設けたものである。【選択図】図１
2011167222.tif 000002
【特許請求の範囲】
【請求項１】
洗濯機外枠内に弾性支持された外槽と、前記外槽内に回転可能に設けられた洗濯兼脱水槽と、前記外槽に設けた駆動手段の回転を前記洗濯兼脱水槽に伝達する伝達手段とを備え、前記伝達手段は、前記駆動手段に設けた第１のプーリと、前記洗濯兼脱水槽に設けた第２のプーリと、前記第１のプーリと前記第２のプーリを回転自在に連結する伝達ベルトを有し、前記駆動手段と前記第１のプーリを遮音手段で覆うとともに、前記駆動手段の温度上昇を抑制する冷却手段を設けた洗濯機。
【請求項２】
遮音手段は、駆動手段の回転軸方向の両側に遮音壁を設け、一方の遮音壁を第１のプーリの外側に配設した請求項１記載の洗濯機。
【請求項３】
冷却手段は、駆動手段を冷却する冷却水が流れる流路を備え、前記流路を排水手段の上流に設けた請求項１または２記載の洗濯機。
【請求項４】
外槽内に給水する給水手段を設け、冷却手段は、前記給水手段の一方を流路に接続して水道水を流すように請求項１または２記載の洗濯機。
【請求項５】
外槽内の洗濯水を流路を通して前記外槽内へ循環させる循環ポンプを設け、冷却手段は、前記流路を流れる洗濯水で駆動手段を冷却するようにした請求項１〜３のいずれか１項に記載の洗濯機。
【請求項６】
冷却手段は、流路内に駆動手段の熱を放熱する放熱部を設けた請求項１〜５のいずれか１項に記載の洗濯機。
【発明の詳細な説明】
【技術分野】
【０００１】
本発明は、洗濯物の洗濯をおこなう洗濯機に関するものである。
【背景技術】
【０００２】
従来、この種の洗濯機は、モータで発生する騒音を遮音することが考えられており、モータを伸縮性の遮音部材で覆い、遮音部材の一端をモータ近傍に固定し、遮音部材にモータと洗濯機の本体の外部とを連通する連通路を設けたものである（例えば、特許文献１参照）。
【０００３】
図７は、前記特許文献１に記載された従来の洗濯機の遮音部材の構成を示したものである。図７に示すように、遮音部材８は、ゴム、樹脂等の材料により形成され、内部にモータ９と冷却ファン１０を収容している。遮音部材８の一端は、洗濯機本体１の後部に固着し、他端はモータ９近傍の外槽３に固着している。遮音部材８には、凹凸部１１を設けて伸縮自在に構成している。
【０００４】
また、遮音部材８には、仕切板１３によって上下に分けられ連通路１２ａ、１２ｂが設けてあり、モータ９と洗濯機本体１の外部とを連通している。上側に設けた連通路１２ａは、洗濯機本体１の外部からモータ９に向かって外気が流れてモータ９を冷却し、下側に設けた連通路１２ｂは、モータ９を冷却した後の空気が洗濯機本体１の外部へ流れる。
【０００５】
モータ９の回転は、プーリ１４、ベルト１５を介して伝達機構部（図示せず）に伝えられる。洗濯および脱水は、モータ９の回転によって行われ、モータ９で発生する騒音を遮音部材８によって遮音するとともに、外気によってモータ９を冷却するようにしたものである。
【先行技術文献】
【特許文献】
【０００６】
【特許文献１】特開昭６１−２６５１９１号公報
【発明の概要】
【発明が解決しようとする課題】
【０００７】
しかしながら、前記従来の構成では、遮音部材８にモータ９と洗濯機本体１の外部とを連通する放熱用の連通路１２ａ、１２ｂを設けているため、モータ９の騒音は、この連通路１２ａ、１２ｂを通して洗濯機本体１の外部に漏れるという問題があった。また、遮音部材８の外にあるプーリ１４とベルト１５が発生するベルト駆動音を遮音することができないという問題も有していた。したがって、モータ９の回転数が高い脱水時において、耳障りな高周波音が洗濯機本体１の外部まで伝わり、洗濯機の動作音が不快なものになるという問題があった。つまり、駆動部の遮音と、駆動部を包囲することによる発熱の抑制を両立させることが課題である。
【０００８】
本発明は、前記従来の課題を解決するもので、モータの駆動音ならびにモータのプーリとベルトが発生する駆動音を遮音するとともに、駆動手段の発熱を抑制することができる洗濯機を実現することを目的とする。
【課題を解決するための手段】
【０００９】
前記従来の課題を解決するために、本発明の洗濯機は、駆動手段の回転を洗濯兼脱水槽に伝達する伝達手段は、前記駆動手段に設けた第１のプーリと、前記洗濯兼脱水槽に設け
た第２のプーリと、前記第１のプーリと前記第２のプーリを回転自在に連結する伝達ベルトを有し、前記駆動手段と前記第１のプーリを遮音手段で覆うとともに、前記駆動手段の温度上昇を抑制する冷却手段を設けたものである。
【００１０】
これによって、モータの駆動音ならびにモータのプーリとベルトが発生する駆動音を遮音することができるとともに、駆動手段の発熱を抑制することができる。
【発明の効果】
【００１１】
本発明の洗濯機は、モータの駆動音ならびにモータのプーリとベルトが発生する駆動音を遮音することができるとともに、駆動手段の発熱を抑制することができる。
【図面の簡単な説明】
【００１２】
【図１】本発明の実施の形態１における洗濯機の断面図
【図２】同洗濯機の図１のＡ−Ａ断面図
【図３】同洗濯機の騒音の周波数分析を示すグラフ
【図４】本発明の実施の形態２における洗濯機の断面図
【図５】本発明の実施の形態３における洗濯機の断面図
【図６】本発明の実施の形態４における洗濯機の断面図
【図７】従来の洗濯機の要部断面図
【発明を実施するための形態】
【００１３】
第１の発明は、洗濯機外枠内に弾性支持された外槽と、前記外槽内に回転可能に設けられた洗濯兼脱水槽と、前記外槽に設けた駆動手段の回転を前記洗濯兼脱水槽に伝達する伝達手段とを備え、前記伝達手段は、前記駆動手段に設けた第１のプーリと、前記洗濯兼脱水槽に設けた第２のプーリと、前記第１のプーリと前記第２のプーリを回転自在に連結する伝達ベルトを有し、前記駆動手段と前記第１のプーリを遮音手段で覆うとともに、前記駆動手段の温度上昇を抑制する冷却手段を設けたことにより、モータの駆動音ならびにモータのプーリとベルトが発生するベルト駆動音の高周波成分を除去することができ、耳障りな駆動音を遮音することができるとともに、駆動手段の発熱を抑制することができる。
【００１４】
第２の発明は、特に、第１の発明の遮音手段は、駆動手段の回転軸方向の両側に遮音壁を設け、一方の遮音壁を第１のプーリの外側に配設したことにより、駆動手段の回転軸方向に出る駆動音を遮音壁によって反射させることができ、洗濯機外枠内に伝播するのを防止して効果的に遮音することができる。
【００１５】
第３の発明は、特に、第１または第２の発明の冷却手段は、駆動手段を冷却する冷却水が流れる流路を備え、前記流路を排水手段の上流に設けたことにより、駆動手段の冷却に液体を使用することができ、駆動手段の発熱を冷却水に放熱して、効率よく駆動手段の温度上昇を抑制することができる。
【００１６】
第４の発明は、特に、第１または第２の発明の外槽内に給水する給水手段を設け、冷却手段は、前記給水手段の一方を流路に接続して水道水を流すようにしたことにより、水を使用しない乾燥行程でも駆動手段の温度上昇を抑制することができる。
【００１７】
第５の発明は、特に、第１〜第３のいずれか１つの発明の外槽内の洗濯水を流路を通して前記外槽内へ循環させる循環ポンプを設け、冷却手段は、前記流路を流れる洗濯水で駆動手段を冷却するようにしたことにより、駆動手段の熱を奪いながら洗濯水が循環するので、駆動手段の温度上昇を抑制するとともに、駆動手段の熱によって洗濯水を加熱することができ、洗濯水の温度を上昇させて洗浄効果を高めることができる。
【００１８】
第６の発明は、特に、第１〜第５のいずれか１つの発明の冷却手段は、流路内に駆動手段の熱を放熱する放熱部を設けたことにより、駆動手段の熱を流路内の水に効果的に放熱することができ、駆動手段の温度上昇を効率よく抑制することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における洗濯機の断面図、図２は、図１のＡ−Ａ断面図、図３は、同洗濯機の騒音の周波数分析を示すグラフである。
【００２１】
図１〜図３において、洗濯機外枠３０は、４本の弾性体３１と、２本の減衰装置３２によって外槽３３を弾性支持している。洗濯兼脱水槽３４は、外槽３３内に回転自在に配設している。モータ（駆動手段）３５は、ブラシレス直流モータから成っており、インバータ制御され、回転速度が自在に変化されるようになっている。給水手段３６は洗濯兼脱水槽３４内に洗濯水を給水するものである。水位検知手段３７は、外槽３３内の洗濯水位を検知する。排水手段３８は、外槽３３内の洗濯水を排水するものである。
【００２２】
制御装置３９は、洗濯機外枠３０の前面下部に設けられている。制御装置３９は、洗濯機外枠３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段３８などを逐次制御する。
【００２３】
減衰装置３２は、オイルを作動流体とする粘性ダンパーで、脱水起動時の外槽３３の共振振動振幅を低減するものであり、洗濯機外枠３０の底部３０ａと外槽３３の底部３３ａの間に固定されている。脚４１はゴムなどの弾性材料で構成され、洗濯機外枠３０の底部３０ａの四隅に配置している。
【００２４】
モータ（駆動手段）３５には第１のプーリ４２が設けられており、洗濯兼脱水槽３４には第２のプーリ４３が設けられている。第１のプーリ４２と第２のプーリ４３は、伝達ベルト４４によって回転自在に連結され、伝達手段４５を構成している。第１のプーリ４２と第２のプーリ４３の減速比は１０：１に設定している。
【００２５】
遮音手段４６はフェルト製の吸音材で箱状に形成されており、駆動手段３５と、第１のプーリ４２を覆い、外槽３３の底部３３ａに固定されている。遮音手段４６は、駆動手段３５の回転軸３５ａ方向の両側に遮音壁４６ａ、４６ｂを設け、一方の遮音壁４６ｂを第１のプーリ４２の外側に配設している。また、駆動手段３５の左右および上下の側面に対向して遮音壁４６ｃを設け、上側面と対向する遮音壁４６ｃに伝達ベルト４４を通す開口４６ｄを設けている。
【００２６】
冷却手段４７は、駆動手段３５に接触させて設けてあり、駆動手段３５が安全に駆動できるように放熱させてその温度上昇を抑制するもので、駆動手段３５の外周に冷却水が流れる流路４８を設けて構成している。流路４８は排水手段３８の上流側に位置し、外槽３３の底部３３ａと流路４８を管路５０で接続している。外槽３３内の水は管路５０から流路４８を通って排水手段３８から機外へ排出されるようにしている。
【００２７】
洗濯およびすすぎの開始時は、排水手段３８が閉じられ、外槽３３へ給水された水が流路４８内に満たされた状態となり、駆動手段３５の熱を流路４８内の洗濯水に放熱することができる。また、脱水時は、排水手段３８が開かれ、洗濯物から脱水された水が管路５０から流路４８を通る際に、駆動手段３５の熱を奪って排水手段３８から機外へ排出する
ことができる。したがって、駆動手段３５の熱を流路４８を流れる洗濯水に放熱することができ、液体による冷却で効率よく駆動手段３５の温度上昇を抑制することができる。
【００２８】
以上のように構成された洗濯機について、以下その動作、作用を説明する。まず、洗濯兼脱水槽３４内に衣類等の洗濯物と洗剤を投入後、操作表示手段４０を操作して運転を開始する。これによって、給水手段３６が動作し、洗濯兼脱水槽３４内に洗濯水が供給されるとともに洗濯兼脱水槽３４も回転を開始する。規定量の洗濯水が供給されると給水手段３６は給水を停止する。
【００２９】
洗濯兼脱水槽３４の回転によって、洗剤は洗濯水に溶かされ、洗濯液となって衣類に浸透する。洗濯兼脱水槽３４は、３０〜５０ｒ／ｍｉｎ（駆動手段３５の回転数は３００〜５００ｒ／ｍｉｎ）程度の低速で回転して、衣類を持ち上げては落とすという、たたき洗いを規定時間行う。この回転数では、耳障りな高周波音は発生しない。
【００３０】
洗濯終了後、排水手段３８が作動し、汚れを溶かし込んだ洗濯水は、管路５０から流路４８を通り、駆動手段３５の熱を奪いながら排水手段３８から機外へ排出される。排水終了後、洗濯兼脱水槽３４の回転は徐々に速くなり脱水工程に入る。脱水起動後、洗濯兼脱水槽３４の回転数が上昇して定常回転数である９００ｒ／ｍｉｎに達すると、駆動手段３５の回転数は９０００ｒ／ｍｉｎになっており、駆動手段３５から３ｋＨｚ〜４ｋＨｚの騒音レベルと、第１のプーリ４２と伝達ベルト４４の接触音による４ｋＨｚ〜８ｋＨｚの騒音レベルが高くなる。
【００３１】
しかしながら、駆動手段３５と第１のプーリ４２は、遮音手段４６で覆われていることにより、その周波数帯の騒音レベルを下げることができ、耳障りな音を消すことができる。
また、遮音手段４６は、駆動手段３５の回転軸３５ａ方向の両側に遮音壁４６ａ、４６ｂを設け、一方の遮音壁４６ｂを第１のプーリ４２の外側に配設している。これにより、駆動手段３５の回転軸３５ａ方向に出る駆動音を遮音壁４６ｂによって内方へ反射させることができ、洗濯機外枠３０内に伝播するのを防止して効果的に遮音することができる。
【００３２】
また、遮音手段４６で駆動手段３５を覆ったことにより、駆動手段３５は温度上昇しやすくなるが、冷却手段４７により温度上昇を抑制することができる。
【００３３】
以上のように本実施の形態においては、駆動手段３５の駆動音と、第１のプーリ４２と伝達ベルト４４が発生するベルト駆動音の高周波成分を除去することができ、耳障りな音をなくすことができる。また、駆動手段３５に冷却手段４７を設けたことにより、遮音と温度上昇抑制の２つの課題を同時に解決することができる。
【００３４】
（実施の形態２）
図４は、本発明の第２の実施の形態の洗濯機の断面図である。本実施の形態の特徴は、給水手段３６を２方弁で構成し、駆動手段３５の外周に設けた流路４８に他方の水路３６ｂを接続したものである。他の構成は実施の形態１と同じであり、同一の符号を付して詳細な説明は実施の形態１のものを援用する。
【００３５】
洗濯およびすすぎ時の開始時は、一方の水路３６ａから外槽３３内に給水され、他方の水路３６ｂは閉じられている。駆動手段３５の駆動時は、他方の水路３６ｂが開かれて駆動手段３５の外周に設けた流路４８に水道水４９を流し、排水手段３８を開放する。
【００３６】
上記構成によれば、給水手段３６から水路３６ｂを経て流路４８を流れる水道水４９に放熱することができ、簡単な構成で安価に駆動手段３５の温度上昇を抑制することができ
る。また、水を使用しない乾燥行程でも、駆動手段３５の温度上昇を抑制することができる。
【００３７】
なお、給水手段３６から流路４８への給水は、駆動手段３５の温度または回転数等、発熱状態に応じて給水量または／および間欠給水による給水時間を制御することができる。この場合は、制御装置３９によって給水手段３６と排水手段３８を制御し、冷却水を無駄に消費することがなく、最適化することができる。
【００３８】
（実施の形態３）
図５は、本発明の第３の実施の形態の洗濯機の断面図である。本実施の形態の特徴は、洗濯機外枠３０の底部３０ａに循環ポンプ５１を設け、流路４８の下流側４８ａと循環ポンプ５１を管路５２で接続し、循環ポンプ５１の吐出部５１ａを外槽３３の上部３３ｂに設けたものである。他の構成は実施の形態１と同じであり、同一の符号を付して詳細な説明は実施の形態１のものを援用する。
【００３９】
上記構成によれば、洗濯時または／およびすすぎ時に、流路４８に外槽３３内の洗濯水を循環させることができ、駆動手段３５の熱を奪いながら洗濯水が循環するので、駆動手段３５の温度上昇を抑制するとともに、駆動手段３５の熱によって洗濯水を加熱することができ、洗濯水の温度を上昇させて洗浄効果を高めることができる。
【００４０】
（実施の形態４）
図６は、本発明の第４の実施の形態の洗濯機の断面図である。本実施の形態の特徴は、流路４８内に駆動手段３５の熱を放熱する放熱部５３を形成したものである。他の構成は実施の形態１と同じであり、同一の符号を付して詳細な説明は実施の形態１のものを援用する。
【００４１】
上記構成によれば、放熱部５３をフィン状に形成し、放熱部５３の表面積を広くして熱交換能力を向上させて、流路４８内の水に駆動手段３５の熱を効果的に放熱することができ、駆動手段３５の温度上昇を効率よく抑制することができる。
【産業上の利用可能性】
【００４２】
以上のように、本発明にかかる洗濯機は、モータの駆動音ならびにモータのプーリとベルトが発生する駆動音を遮音することができるとともに、駆動手段の発熱を抑制することができるので、洗濯機として有用である。
【符号の説明】
【００４３】
３０  洗濯機外枠
３３  外槽
３４  洗濯兼脱水槽
３５  モータ（駆動手段）
４２  第１のプーリ
４３  第２のプーリ
４４  伝達ベルト
４５  伝達手段
４６  遮音手段
４７  冷却手段
【図３】
2011167222.tif 000003
【図１】
2011167222.tif 000004
【図２】
2011167222.tif 000005
【図４】
2011167222.tif 000006
【図５】
2011167222.tif 000007
【図６】
2011167222.tif 000008
【図７】
2011167222.tif 000009